(57)【要約】本発明は保管装置に関し、特に乗り物を保管して保護するための保管装置に関連し、さらに具体的には、自転車および／またはオートバイを保管および保護するための保管装置に関する。本発明の１つの態様では、保管装置は、密閉および／または外の環境からの隔離をされ得る筐体を含み得、少なくとも部分的に入れ子構造になっている成形体をさらに含み得る。例示的な実施形態では、入れ子構造は筐体を形成し得る複数のセグメントを含み得る。ここで、構造の成形体構造因子を管理する間に筐体を開けるために、いくつかのセグメントは他のセグメントの中に埋もれ得る。【選択図】図４
2019501829.tif 000002
【特許請求の範囲】
【請求項１】
共通ピボットで結合された複数のセグメントであって、前記セグメントの各々が少なくとも１つの車輪のついた乗り物を収容するための大きさに形成された内部区画を有する半円の筐体の一部を形成する、複数のセグメント
を備え、
前記複数のセグメントは前記半円の筐体を開けるために入れ子になるため、および、閉鎖するために入れ子を解消するために、前記共通ピボット上で旋回する
車輪のついた乗り物用の保管装置。
【請求項２】
共通ピボットを有する、実質的な半円形の壁のある容器を形成する底部であって、前記実質的な半円形の切断を形成する開口部を有する、底部と、
前記共通ピボット上で旋回し、前記底部に覆い被さる第１のセグメントであって、前記第１のセグメントは前記切断を部分的に満たす形状である第１のセグメントと、
前記共通ピボット上で旋回し、前記底部に覆い被さり、前記第１のセグメント中に入れ子になる大きさの第２のセグメントであって、前記第２のセグメントは前記切断の残りの部分を満たす形状である第２のセグメント、
を備え、
前記第１および第２のセグメントは、前記開口部を開くために入れ子になるため、および閉鎖するために入れ子を解消するために、前記共通ピボット上を旋回する
保管装置。
【請求項３】
共通ピボットを有する、実質的な半円形の壁のある容器を形成する底部であって、前記実質的な半円形の切断を形成する開口部を有する、底部と、
前記共通ピボット上で旋回し、前記底部に覆い被さる第１のセグメントであって、前記第１のセグメントは前記切断を部分的に満たす形状である第１のセグメントと、
前記共通ピボット上で旋回し、前記底部に覆い被さり、第１のセグメントに隣接するように成形された第２のセグメントであって、前記第２のセグメントは前記切断の残りの部分を部分的に満たす形状である第２のセグメントと、
前記共通ピボット上で旋回し、前記底部に覆い被さり、前記第２のセグメント中に入れ子になる大きさの第３のセグメントであって、前記第３のセグメントは前記切断の前記残りの部分を満たす形状である第３のセグメント
を備え、
前記第１、第２および第３のセグメントは、前記開口部を開くために入れ子になるため、および閉鎖するために入れ子を解消するために、前記共通ピボット上を旋回する
保管装置。
【請求項４】
前記保管装置は、ロードバイク、マウンテンバイク、トライアスロン／タイム・トライアル用自転車、オートバイ、リカンベント自転車、およびハイブリッド自転車からなる群から選択された車輪のついた乗り物を封入するための形状および大きさである
請求項１〜３のいずれかに記載の保管装置。
【請求項５】
前記入れ子になること、および入れ子を解消することを制御するためのハンドルをさらに備える
請求項１〜３のいずれかに記載の保管装置。
【請求項６】
所定の割合もしくは比で前記セグメントの動きを結合するギアメカニズムをさらに備える
請求項１〜３のいずれかに記載の保管装置。
【請求項７】
前記保管装置を閉鎖された状態に固定するための錠締めメカニズムをさらに備える
請求項１〜３のいずれかに記載の保管装置。
【請求項８】
転倒を防止するために前記保管装置の前記底部に取り付けられた安定化装置をさらに備える
請求項１〜３のいずれかに記載の保管装置。
【請求項９】
転倒を防止するために前記保管装置の前記底部に取り付けられた安定化装置をさらに備え、前記安定化装置は使用時に配備するためにピボットで回転し、使用されないときは前記保管装置の設置面積内に格納され得る
請求項１〜３のいずれかに記載の保管装置。
【請求項１０】
前記保管装置は天候もしくは屋外への耐久性のある材料で形成される
請求項１〜３のいずれかに記載の保管装置。
【請求項１１】
車輪を保持する機構をさらに備える
請求項１〜３のいずれかに記載の保管装置。
【請求項１２】
前記第１および第２のセグメントは実質的に同じ大きさである
請求項３に記載の保管装置。
【請求項１３】
前記保管装置の前記底部に取り付けられた脚部をさらに備える
請求項１〜３のいずれかに記載の保管装置。
【発明の詳細な説明】
【技術分野】
【０００１】
＜関連出願のクロスリファレンス＞
本出願は、「ＳＴＯＲＡＧＥ  ＤＥＶＩＣＥＳ」という名称の２０１６年１月１６日に出願された米国仮特許出願番号６２／２７９，７５４号、および「ＳＴＯＲＡＧＥ  ＤＥＶＩＣＥＳ」という名称の２０１６年６月３０日に出願された米国仮特許出願番号６２／３５７，３１１号の利益および優先権を主張し、これらの出願の全体は参照することにより本明細書に含まれる。
【０００２】
＜技術分野＞
本発明は保管装置に関し、特に乗り物を保管して保護するための保管装置に関連し、さらに具体的には、自転車および／またはオートバイを保管および保護するための保管装置に関する。
【背景技術】
【０００３】
自転車およびオートバイは、自然の力に暴露されたことによる構成要素の劣化を防止するため、ならびに、盗難を抑止するための適切な保管と保護を必要とする。多くの個人はそれらの乗り物をガレージまたは保管構造に保管できるが、多くの他の人達はそのような選択肢を有さない。さらに、そのような構造中であったとしても、適切な保護ができない可能性があり、乗り物が邪魔になる可能性がある。乗り物が目障りになるか、または車や他の物からの損傷を受けるおそれがある。
【発明の概要】
【０００４】
本発明は保管装置に関し、特に乗り物を保管して保護するための保管装置に関連し、さらに具体的には、自転車および／またはオートバイを保管および保護するための保管装置に関する。
【０００５】
本発明の１つの態様では、保管装置は、密閉および／または外の環境からの隔離をされ得る筐体を含み得、少なくとも部分的に入れ子構造になっている成形体をさらに含み得る。例示的な実施形態では、入れ子構造は筐体を形成し得る複数のセグメントを含み得る。ここで、構造の成形体構造因子を管理する間に筐体を開けるために、いくつかのセグメントは他のセグメントの中に埋もれ得る。
【０００６】
保管装置は一般に任意の適切な材料から構成され得るが、一般に、完全性と内容物の保護を提供するために、固いおよび／または耐久性のある材料を含み得る。適切な材料は、金属および合金、複合材料、高分子材料、木などの天然物由来の材料、および／またはその他の適切な材料、あるいはそれらの混合物を含むが、これらに限定されない。保管装置の構造は、例えば、構造的な補強部材もしくは支持物も含み得る。これらは、例えば硬さを増強するため、耐久性および／または強度を増強するために望ましいものであり、構成要素の移動の時の誘導物（guide）もしくは軌道（track）、および／または他の利点を提供する。
【０００７】
いくつかの実施形態では、入れ子構造は、一般に、その構造の平らな部分が地面またはその他の表面の上に載っている半円形状もしくはアーチ形状を有する。構造は、脚部（feet）および／またはクロス安定化装置などの安定化および／または支持する機構もしくは構造も含み得る。安定化および／または支持する機構もしくは構造は、例えば使用していないときに引き込むために、可動式でもあり得る。
【０００８】
いくつかの実施形態では、入れ子構造は、中心の共通軸あるいはピボット点上で回転および／または旋回し得る複数のセグメントを含み得る。
【０００９】
例示的な実施形態では、保管装置の内容物のセキュリティ、および例えば、保管装置の内部を外部から遮断するのを助けるために、錠閉めおよび／または堅牢な閉鎖（secure closure）も含まれ得る。
【００１０】
セグメントは、例えばセグメントが意図された位置を超えて動くことを防止するための、止め具および／または、動きおよび／またはセグメントの関節の範囲を制御するための他の機構をさらに含み得る。
【００１１】
本発明の他の態様では、保管装置は、車輪ホルダおよび／または車輪を有する乗り物（例えばロードバイク、マウンテンバイク、トライアスロン／タイム・トライアル用自転車、オートバイ、リカンベント自転車、ハイブリッド自転車および／または任意の他の一般的な車輪を有する乗り物など）を保管装置内の望ましい方向および位置に固定するための他の機構を有し得る。例えば、ホイールトラックもしくはホイールホルダー、フレームホルダー、バンパー、クッションおよび／または他の任意の適切な機構、あるいはそれらの組み合わせが車輪を有する乗り物を保管装置内で固定するために使用され得る。一般に、様々な異なる乗り物、大きさもしくはバリエーションを収容するために、調整可能および／またはフレキシブルな機構を使用することが望ましい。
【００１２】
本発明の更なる態様では、保管装置は、ユーザが車輪のついた乗り物を保管装置に入れることおよび／または保管装置から出すことを援助もしくは支援するための機構も含んでいてもよい。ある実施形態では、保管装置は、車輪のついた乗り物を持ち上げることなく保管装置内に転がして出し入れできるように、地面の高さに開口もしくは隙間を含み得る。ある他の実施形態では、保管装置は、車輪のついた乗り物を機構の上で転がして保管装置中に入れられるように、傾斜路、斜面、レッジもしくは他の少しずつ変わる機構などの支援機構を含み得る。
【００１３】
上記およびその他の利点を有する本発明は、以下の発明の実施形態の詳細な記載および図面への図示から最も良く理解され得る。
【図面の簡単な説明】
【００１４】
【図１】本発明のいくつかの実施形態のうちの１つの実施形態の保管装置の側面図である。
【図１ａ】本発明のいくつかの実施形態のうちの１つの実施形態の保管装置の正面図である。
【図１ｂ】本発明のいくつかの実施形態のうちの１つの実施形態の保管装置の上面図である。
【図１ｃ】本発明のいくつかの実施形態のうちの補強リブを含まない保管装置の実施形態の側面図である。
【図１ｄ】一方向に動くセグメントを含む保管装置の実施形態の側面図である。
【図１ｅ】一方向に動くセグメントを含む保管装置の実施形態の側面図である。
【図１ｆ】開閉制御メカニズムを説明する図である。
【図１ｇ】開閉制御メカニズムを説明する図である。
【図１ｈ】保管装置の内部の補強リブを説明する図である。
【図２】本発明のいくつかの実施形態にかかる保管装置の分解組立図である。
【図２ａ】閉鎖および固定機構を説明する図である。
【図２ｂ】閉鎖および固定機構を説明する図である。
【図３】本発明のいくつかの実施形態にかかる保管装置を開ける段階を説明する図である。
【図３ａ】本発明のいくつかの実施形態にかかる保管装置を開ける段階を説明する図である。
【図３ｂ】本発明のいくつかの実施形態にかかる保管装置を開ける段階を説明する図である。
【図４】自転車が封入されホイールトラックおよびフレームホルダーで保持されている保管装置の透視図である。
【図５】安定化機構を説明する図である。
【図５ａ】安定化機構を説明する図である。
【発明を実施するための形態】
【００１５】
＜発明の詳細な説明＞
以下に説明する詳細な記載は、本発明の態様に従って提供される現在の例示的な装置、方法、および材料の説明を意図しており、本発明が実現もしくは使用され得る唯一の形態を表現することを意図していない。しかしながら、本発明の精神および範囲内に包含されることが意図されている異なる実施形態によって、同じもしくは均等の機構ならびに構成要素が完成され得ることは理解される。
【００１６】
別に定義しない限り、本明細書で使用される全ての技術的および科学的語句は、本発明の属する分野の当業者に一般に理解されている意味と同じ意味を有する。しかし、本明細書に記載された方法、装置および材料と同様もしくは均等な、任意の方法、装置および材料が本発明の実施もしくは試験に使用可能であり、例示的な方法、装置および材料が本明細書に記載される。
【００１７】
本発明は保管装置に関し、特に乗り物を保管して保護するための保管装置に関連し、さらに具体的には、自転車および／またはオートバイを保管および保護するための保管装置に関する。
【００１８】
本発明の１つの態様では、保管装置は、密閉および／または外の環境からの隔離をされ得る筐体を含み得、少なくとも部分的に入れ子構造になっている成形体をさらに含み得る。例示的な実施形態では、入れ子構造は筐体を形成し得る複数のセグメントを含み得る。ここで、構造の成形体構造因子を管理する間に筐体を開けるために、いくつかのセグメントは他のセグメントの中に埋もれ得る。
【００１９】
図１、図１ａおよび図１ｂは、底面１２０を有する筐体を形成する複数のセグメント１０４、１０６、１０８、１１０を含み得る保管装置１００の実施形態を説明する。いくつかの実施形態では、入れ子構造は、一般にその構造の平らな部分が地面またはその他の表面の上に載っている半円形状もしくはアーチ形状を有し得る。保管構造１００は、図５および図５ａに示された脚部１２１およびクロス安定化装置１２２などの、脚部および／または安定化装置も含み得る。クロス安定化装置１２２は、保管装置１００の境界内に格納されることができ、図５ａおよび図５のそれぞれに説明されるような安定化の役割のために配備されるように、ピボット１２３上で旋回するなど可動であっても良い。クロス安定化装置１２２は、使用されていないときの位置を維持するように、さらに保持スタブ１２４などの保持機構と連動しても良い。
【００２０】
図示されているように、いくつかの例示的な実施形態では、セグメント１０４、１０６、１０８、１１０は、一般に半円形もしくは円形のセグメントを形成し、共通のピボット点１０２を中心に回転および／または旋回し得る。セグメント１０４、１０６、１０８、１１０の少なくとも一部は、一般に、１つのセグメントの動きおよび／または関節が他のセグメントの動きおよび／または関節に影響し得るように互いにつなげられ得る。例えば、セグメント１０８、１１０は、保管装置１００を開けることおよび／または閉めることに影響するために２つのセグメントだけが直接処理される必要があるように、閉鎖１１２のハンドルを介してセグメント１０６、１０８などにつなげられ得る。他の実施例では、図１ｄおよび図１ｅで説明するように、セグメント１０６’、１０８’を有する保管装置１００で保管装置１００を開けるときにセグメント１０６’がセグメント１０８’中に入れ子になるように、保管装置の開閉に影響するために１つのセグメントだけが直接処理される必要があり得る。
【００２１】
いくつかの実施形態では保管装置１００は、開閉のためのメカニズムも含み得る。例えば、クランクおよび／または他のメカニズムが、保管装置１００の開閉を制御するため、および、開閉に影響するために使用され得る。いくつかの実施形態では、開閉の間、保管装置１００のセグメントの適切な関節を保証するためにメカニズムが使用され得る。図１ｆは保管装置１００のセグメントを関節接合するためのメカニズム１５０の例を説明する。一般に、メカニズム１５０は、いずれのセグメントがユーザによって処理されたかおよび／または動かされたかに関係なく、可動な全てのセグメントの関節の原因となり得る。例えば、１つのセグメントのピボット１０２に関する回転が他のセグメントのピボットに関する回転を引き起こし得るように、結合メカニズムが使用され得る。図１ｆは、第１のセグメント１０８’に連結された第１のギア１５１、および第２のセグメント１０６’に連結された第２のギア１５２を説明する。第１および第２のギア１５１、１５２は、第１のギア１５１および第２のギア１５２のギア比を変更し得るトランスミッションギア１５３、１５４によって、さらに互いに連結され得る。図１ｆおよび図１ｇに説明するように、保管装置１００が完全に開かれるように、各セグメントが望ましい角度まで回転する（例えば、セグメント１０６’は１２５度回転し、セグメント１０８’は７０度回転する）ことが望ましい。図１ｆおよび図１ｇにおいて、結合されたギア１５１、１５３のギア比は１：１で、ギア１５３およびギア１５４は共に回転し、ギア１５４、１５２のギア比は１２．５：７である。他の比率および回転の角度もセグメントの形ならびに保管装置１００の開口の角度に応じて使用され得る。ギア１５１、１５２は、セグメント１０８’、１０６’に直接接続され得、例えば、また、図１ｆに説明されているように、ギア１５２がクランクアーム１５５を介してセグメント１０６’に連結され得るなど、ギア１５１、１５２は他の方法で結合され得る。
【００２２】
セグメント１０４、１０６、１０８、１１０、１０６’、１０８’などの保管装置１００の構成要素は、図２および図２ｃの分解組立図で説明するように、完全に独立した要素として形成されても良い。
【００２３】
保管装置は一般に任意の適切な材料から構成され得るが、一般に、完全性と内容物の保護を提供するために、固いおよび／または耐久性のある材料を含み得る。適切な材料は、金属および合金、複合材料、高分子材料、木などの天然物由来の材料、および／またはその他の適切な材料、あるいはそれらの混合物を含むが、これらに限定されない。保管装置の構造は、例えば、構造的な補強部材もしくは支持物も含み得る。これらは、例えば硬さを増強するため、耐久性および／または強度を増強するために望ましいものであり、構成要素の移動の時の誘導物もしくは軌道、および／または他の利点を提供する。
【００２４】
図１は、補強リブ１０３、１０５として説明される補強部材を有する保管装置１００を図示する。補強リブ１０３、１０５は、セグメント１０４、１０６、１０８、１１０の外側に図示するように、保管装置１００の外側の表面に存在し得るし、また、補強部材は筐体の内部のセグメントの内側の表面に存在し得る。補強部材は、セグメントの全てよりも、むしろ、セグメントの一部に存在し得る。セグメント１０４、１０６、１０８、１１０上の対応する補強リブ１０３、１０５は、例えば、セグメントのアラインメントを保つことを補助するなど、移動もしくは関節接合の間に補強リブ１０３、１０５がセグメントの誘導用軌道として役立ち得るように、セグメントの対応するくぼみ又は軌道にも大まかに適合し得る。図１ｈで説明するように、補強リブおよび／または他の補強部材も保管装置１００の内部に存在しても良い。
【００２５】
図１ｃで説明されている補強リブを含まない保管装置１００のように、保管装置１００は補強部材を含まなくても良い。このことは、例えば特に補強部材を必要としない製造に使用される材料次第で、例えば、保管装置１００に対して製造を簡素化でき、および／または異なる美的概観を生成できる。
【００２６】
いくつかの実施形態では、入れ子構造は、中心の共通軸あるいはピボット点上で回転および／または旋回し得る複数のセグメントを含み得る。一般に、いくつかのセグメントは、共通軸あるいはピボット点上で回転および／または旋回するときに少なくとも１つの他のセグメントの入れ子になるような大きさになり得る。図３、図３ａ、および図３ｂは車輪のついた乗り物（マウンテンバイク９０として示される）を内部に有し、入れ子になったセグメントを有する保管装置１００を説明する。図３は部分的に開いた段階、図３ａはさらに開いた段階、図３ｂは完全に開いた段階である。ここで、セグメント１１０はセグメント１０８に収まり、セグメント１０６、１０８、１１０はセグメント１０４に覆い被さる。図３に示すようにセグメント１１０はセグメント１０８の入れ子になり、図３ａに示すようにセグメント１０８、１１０がセグメント１０４の入れ子になって覆い被さる。さらに、セグメント１０６、１０８、１１０はセグメント１０４に覆い被さる。一般に、保管装置１００を閉鎖するために合わさるセグメントは、それらがぴったり合った密閉を形成するように同じ大きさおよび／または寸法を有し得る（例えば、同じ大きさを有するセグメント１０６、１０８）。
【００２７】
セグメントは、例えばセグメントが意図された位置を超えて動くことを防止するための、止め具および／または、動きおよび／またはセグメントの関節の範囲を制御するための他の機構をさらに含み得る。図２は、セグメント１０６および１１０のそれぞれがそれらを通り過ぎる事を防ぐためのセグメント１０４上の止め具１０４ａ、１０４ｂを示す。
【００２８】
例示的な実施形態では、保管装置の内容物のセキュリティ、および例えば、保管装置の内部を外部から遮断するのを助けるために錠閉めおよび／または堅牢な閉鎖も含まれ得る。図２、図２ａおよび図２ｂは、例えばスナップで取り付ける方式のもの１１２ａ（閉鎖のハンドル部分１１２ｂで対応する開口をスナップで止める）などの固定機構（securing feature）を含む閉鎖１１２を説明する。例えば、磁気素子、掛け金、バックルおよび／または任意の他の適切な固定機構などの他の固定機構が使用されても良い。錠もしくは他の固定機構を収容するものなど、固定のための更なる機構も含まれ得る。
【００２９】
本発明の他の態様では、保管装置は、ホイールホルダーおよび／または車輪を有する乗り物（例えばロードバイク、マウンテンバイク、トライアスロン／タイム・トライアル用自転車、オートバイ、リカンベント自転車、ハイブリッド自転車および／または任意の他の車輪を有する乗り物など）を保管装置内の望ましい方向および位置に固定するための他の機構を有し得る。例えば、ホイールトラックもしくはホイールホルダー、フレームホルダー、バンパー、クッションおよび／または他の任意の適切な機構、あるいはそれらの組み合わせが車輪を有する乗り物を保管装置内で固定するために使用され得る。一般に、様々な異なる乗り物、大きさもしくはバリエーションを収容するために、調整可能および／またはフレキシブルな機構を使用することが望ましい。
【００３０】
図４はホイールホルダーおよびフレームホルダー（自転車９０を保持するためのホイールトラック１３０およびフレームホルダー１４０で示される）を含む保管装置１００の透視図である。
【００３１】
本発明の更なる態様では、保管装置は、ユーザが車輪のついた乗り物を保管装置に入れること、および／または保管装置から出すことを、援助もしくは支援するための機構も含んでいてもよい。いくつかの実施形態では、保管装置は、車輪のついた乗り物を持ち上げることなく保管装置内に転がして出し入れできるように、地面の高さに開口もしくは隙間を含み得る。いくつかの他の実施形態では、保管装置は、車輪のついた乗り物を機構の上で転がして保管装置中に入れられるように、傾斜路、斜面、レッジもしくは他の少しずつ変わる機構などの支援機構を含み得る。
【００３２】
本発明は、本発明の特定の実施形態について記述されているが、これらの実施形態は単なる例示に過ぎず、本発明を限定するものではない。本発明の実施形態を説明した本明細書の記載は、「要約」および「概要」中の記載も含めて、本明細書で開示された正確な形態に徹底すること、または、その形態に本発明を制限することを意図しているわけではない（さらに、特に、いずれの特定の実施形態、機構、もしくは、機能を「要約」または「概要」に含むことによって、本発明の範囲をこのような実施形態、機構、もしくは、機能に限定することを意図していない。）。むしろ、記述は、「要約」または「概要」中に記載されたこのような任意の実施形態、機構、もしくは、機能も含む、いずれかの具体的に記載された実施形態、機構、もしくは、機能に、本発明を限定することなく、当技術分野の当業者が本発明を理解するために、例示的な実施形態、機構、および、機能を説明することを意図している。本発明の特定の実施形態、および、本発明の実施例が本明細書に説明の目的のみで記載されているが、関連する技術分野の当業者が理解し認識するように、本発明の精神と範囲内で様々な同等の改変が可能である。示されているように、これらの改変は、前述の本発明の例示された実施形態についての説明に照らして、本発明に対して行われ得るし、本発明の精神と範囲に含まれる。従って、本発明は本明細書に本発明の特定の実施形態を参照しながら記載されているが、自由な改変、様々な変更および置き換えが、前述の開示に意図されている。記載された本発明の精神と範囲から逸脱することなく、いくつかの例では本発明の実施形態のいくつかの機構は、他の機構を対応して用いずに使用され得ることは理解されるであろう。従って、特定の状況または材料を、本発明の本質的な範囲及び精神に適用させるために、多数の改変が行われ得る。本明細書で引用している全ての特許、特許出願、および出版物の開示は、参照することによってそれらの全体が、本明細書に説明した本発明と整合性のある範囲内で本明細書に含まれる。
【００３３】
本明細書全体を通して、「１つの実施形態（one embodiment）」、「１つの実施形態（an embodiment）」、もしくは、「特定の実施形態（a specific embodiment）」、または、同様の専門用語に言及することは、実施形態に関連して記載された特定の機構、構造、もしくは、特性は、少なくとも１つの実施形態に含まれており、全ての実施形態に存在する必要はないということを意味する。本明細書を通して、「１つの実施形態で（in one embodiment）」、「１つの実施形態で（in an embodiment）」、もしくは、「特定の実施形態で（in a specific embodiment）」、または、同様の専門用語が、いろいろな箇所で、それぞれ出現する場合、必ずしも同じ実施形態を指していなくても良い。さらに、任意の特定の実施形態の特定の機構、構造、もしくは、特性は、１つ以上の他の実施形態と、任意の適切な方法で組み合わせられ得る。本明細書に記載され説明された実施形態の他のバリエーションおよび改変は、本明細書の教示に照らして可能であり、本発明の精神と範囲の一部として考えられることは理解されるであろう。
【００３４】
本明細書の記載では、構成要素および／または方法の実施例などの、数値的な特定の詳細が、本発明の実施形態を完全に理解させるために提供されている。しかしながら、関連する技術分野の当業者は、１つ以上の特定の詳細がなくても、また、他の装置、システム、アセンブリ、方法、構成要素、材料、部品、および／または、同様のものを用いて、実施形態を実行することができ得ることを理解できるであろう。他の例では、本発明の実施形態の態様を分かりにくくすることを避けるために、周知の構造、構成要素、システム、材料、もしくは、操作は詳細に示されておらず、また、詳細に記載されていない。本発明は特定の実施形態を用いて説明されているが、これは、本発明をいずれかの特定の実施形態に限定するものではなく、当業者は、追加的な実施形態がすぐに理解できること、および、追加的な実施形態も本発明の一部であることを認識するであろう。
【００３５】
本明細書では、「含む（comprises）」、「含む（comprising）」、「含む（includes）」、「含む（including）」、「有する（has）」、「有する（having）」、もしくは、これらの他のバリエーションは、非排他的な含有を対象とすることを意図する。例えば、要素のリストを含む処理、製品、商品、もしくは、装置は、これらの要素のみに限定される必要はなく、明確にリストされていない他の要素、または、そのような処理、処理、商品、もしくは、装置に固有の他の要素を含み得る。
【００３６】
さらに、本明細書では、「ｏｒ」という文言は、特に断らない限り、一般的に「ａｎｄ／ｏｒ」を意図する。例えば、条件「Ａ  ｏｒ  Ｂ」は、以下の任意の１つを満たす：Ａが真（または存在）かつＢが偽（または非存在）、Ａが偽（または非存在）かつＢが真（または存在）、ならびに、ＡとＢの両方が真（または存在）。特許請求の範囲を含む本明細書では、「ａ」もしくは「ａｎ」（および、先の記載が「ａ」もしくは「ａｎ」である場合の「ｔｈｅ」）に先行されている文言は、明示的にそうでないことを主張（すなわち、「ａ」もしくは「ａｎ」への言及が、単数だけであること、または、複数だけであることを明示）していない限り、この文言の単数および複数の両方を含む。また、本明細書の記載では、「ｉｎ」の意味は、内容が明らかにそうでない場合を記載していない限り、「ｉｎ」および「ｏｎ」を含む。
【図１】
2019501829.tif 000003
【図１ａ】
2019501829.tif 000004
【図１ｂ】
2019501829.tif 000005
【図１ｃ】
2019501829.tif 000006
【図１ｄ】
2019501829.tif 000007
【図１ｅ】
2019501829.tif 000008
【図１ｆ】
2019501829.tif 000009
【図１ｇ】
2019501829.tif 000010
【図１ｈ】
2019501829.tif 000011
【図２】
2019501829.tif 000012
【図２ａ】
2019501829.tif 000013
【図２ｂ】
2019501829.tif 000014
【図３−３ｂ】
2019501829.tif 000015
【図４】
2019501829.tif 000016
【図５】
2019501829.tif 000017
【図５ａ】
2019501829.tif 000018
【国際調査報告】
2019501829.tif 000019
2019501829.tif 000020